(57)【要約】      （修正有）【課題】電気電子機器のスタンバイ状態において省電力化を図るための制御ＩＣのバーストモードとノーマルモードとの切り換えを、専用のフォトカプラを追加することなく、低コストで正確に行う電源回路を有するテレビ、及び電源回路を提供する。【解決手段】トリガ入力端子Ｂへ入力されるトリガ電圧に基づき、スイッチ１４ａオン時に供給されるノーマル電圧を供給するノーマルモードと、オフ時にスタンバイ状態のコントローラに待機電圧を供給するバーストモードとを適宜切り換え制御する、１次側の制御ＩＣ１３ｃと、２次側の出力電圧に基づくフィードバック信号を、フォトカプラ１６を介して前記制御ＩＣ１３ｃに入力するフィードバック回路１３ｅ，１４ｃと、スイッチ１４ａオンオフに伴う２次側の電圧変化に基づき、制御ＩＣ１３ｃに対し、スイッチ１４ａオフ時には前記トリガ電圧を供給する一方、オン時には前記トリガ電圧を非供給とするモード切換信号回路１３ｆ，１４ｂとを有する。【選択図】図２
0003111439.tif 000002
【実用新案登録請求の範囲】
【請求項１】
１次側の入力電圧をトランスを介して所望の電圧に変換して２次側で出力する電源回路を有するテレビであって、
当該電源回路は、
２次側の出力電圧に基づくフィードバック信号をフィードバック端子に入力し、１次側の電圧をフィードバック制御する共に、トリガ入力端子へ入力されるトリガ電圧に基づき、テレビのスイッチオン時に供給されるノーマル電圧を供給するノーマルモードと、テレビのスイッチオフ時にスタンバイ状態の当該テレビのコントローラに待機電圧を供給するバーストモードとを適宜切り換え制御する、１次側に設けられた制御ＩＣと、
前記フィードバック制御のために、２次側の出力電圧に基づくフィードバック信号を、電圧印加に伴う発光ダイオードの発光と、当該発光の受光に伴いスイッチオンするフォトトランジスタとから成るフォトカプラを介して１次側の前記制御ＩＣに絶縁状態で入力するフィードバック回路と、
テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とするモード切換信号回路とを有し、
前記フィードバック回路は、１次側フィードバック回路と２次側フィードバック回路とから成る一方、
前記モード切換信号回路は、１次側モード切換信号回路と２次側モード切換信号回路とから成り、
前記1次側フィードバック回路は、制御ＩＣの前記フィードバック端子とＧＮＤ間にフォトカプラを構成する前記フォトトランジスタを設けて成り、
前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、
前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、
テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前記第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、
テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、
制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめることを特徴とする、テレビ。
【請求項２】
電気電子機器に搭載され、１次側の入力電圧をトランスを介して所望の電圧に変換して２次側で出力する電源回路であって、
当該電源回路は、
２次側の出力電圧に基づくフィードバック信号をフィードバック端子に入力し、１次側の電圧をフィードバック制御する共に、トリガ入力端子へ入力されるトリガ電圧に基づき、前記電気電子機器のスイッチオン時に供給されるノーマル電圧を供給するノーマルモードと、電気電子機器のスイッチオフ時にスタンバイ状態の当該電気電子機器のコントローラに待機電圧を供給するバーストモードとを適宜切り換え制御する、１次側に設けられた制御ＩＣと、
前記フィードバック制御のために、２次側の出力電圧に基づくフィードバック信号を、フォトカプラを介して１次側の前記制御ＩＣに絶縁状態で入力するフィードバック回路と、
電気電子機器のスイッチオンオフに伴う２次側の電圧変化に基づき、制御ＩＣの前記トリガ入力端子に対し、電気電子機器のスイッチオフ時には前記トリガ電圧を供給する一方、電気電子機器のスイッチオン時には前記トリガ電圧を非供給とするモード切換信号回路とを有し、
制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめることを特徴とする、電源回路。
【請求項３】
前記フォトカプラは、電圧印加に伴う発光ダイオードの発光と、当該発光の受光に伴いスイッチオンするフォトトランジスタとから成ることを特徴とする、請求項２に記載の電源回路。
【請求項４】
前記電気電子機器はテレビであり、前記モード切換信号回路は、当該テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とすることを特徴とする、請求項２〜請求項３に記載の電源回路。
【請求項５】
前記フィードバック回路は、１次側フィードバック回路と２次側フィードバック回路とから成る一方、
前記モード切換信号回路は、１次側モード切換信号回路と２次側モード切換信号回路とから成り、
前記1次側フィードバック回路は、制御ＩＣの前記フィードバック端子とＧＮＤ間にフォトカプラを構成する前記フォトトランジスタを設けて成り、
前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、
前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、
テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前記第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、
テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、
制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめることを特徴とする、請求項２〜請求項４に記載の電源回路。
【請求項６】
電気電子機器に搭載され、１次側の入力電圧をトランスを介して所望の電圧に変換して２次側で出力する電源回路における、当該電気電子機器のスイッチオンオフに伴う電源電圧供給モード切り換え方法であって、
２次側の出力電圧に基づくフィードバック信号をフィードバック端子に入力し、１次側の電圧をフィードバック制御する共に、トリガ入力端子へ入力されるトリガ電圧に基づき、前記電気電子機器のスイッチオン時に供給されるノーマル電圧を供給するノーマルモードと、電気電子機器のスイッチオフ時にスタンバイ状態の当該電気電子機器のコントローラに待機電圧を供給するバーストモードとを適宜切り換え制御する１次側に設けられた制御ＩＣの、前記トリガ入力端子に適宜トリガ電圧を入力するための２次側から１次側への信号送受信を、前記フィードバック制御のために、２次側の出力電圧に基づくフィードバック信号を１次側の前記制御ＩＣに絶縁状態で入力するフィードバック回路用のフォトカプラを兼用して行うことで、専用のフォトカプラを抹消せしめることを特徴とする、電源電圧供給モード切り換え方法。
【考案の詳細な説明】
【技術分野】
【０００１】
本考案は、１次側の入力電圧をトランスを介して所望の電圧に変換して２次側で出力する電源回路を有するテレビ、電気電子機器に搭載され、１次側の入力電圧をトランスを介して所望の電圧に変換して２次側で出力する電源回路、及び電気電子機器に搭載され、１次側の入力電圧をトランスを介して所望の電圧に変換して２次側で出力する電源回路における、当該電気電子機器のスイッチオンオフに伴う電源電圧供給モード切り換え方法に関する。
【背景技術】
【０００２】
近年、省エネルギーの高まりから、電気電子機器においては、電源オフにした所謂スタンバイ時の消費電力の低減が求められるようになっている。そこで、外部から供給される電源電圧を所望の電圧に調整した上、各構成回路に供給するために通常、設けられる電源回路に、このようなスタンバイ時における消費電力の低減のための制御が加えられるようになってきている。
【０００３】
図に電気電子機器として例えば液晶テレビに設けられる、前記したスタンバイ時における消費電力の低減のための制御が加えられた電源回路の一例を示す。
【０００４】
電源回路２は部分共振電源回路であり、外部の例えば商用ＡＣ電源をブリッジダイオード３ａで全波整流した上、コンデンサ３ｂで平滑化され入力される１次側３と、トランス５を介して所望の電圧に調整され、各構成回路に出力される２次側４とから成る。
【０００５】
１次側３には、１次側の電圧を適宜調整する制御ＩＣ３ｃと、共振回路３ｄと、２次側４の電圧を制御ＩＣ３ｃにフィードバックする１次側フィードバック回路３ｅと、２次側４に設けられた液晶テレビのスイッチ４ａのオンオフの状態を示すトリガ電圧を制御ＩＣ３ｃに入力する１次側モード切換信号回路３ｆとが設けられている。
【０００６】
一方、２次側４には、液晶テレビの電源をオンオフするスイッチ４ａと、当該スイッチ４ａのオンオフに応じて、前記１次側モード切換信号回路に３ｆ信号送信する２次側モード切換信号回路４ｂと、２次側４の出力電圧に応じて、前記１次側フィードバック回路３ｅに信号送信する２次側フィードバック回路４ｃと、所定の出力電圧を出力可能にトランス５の２次側巻線５ｂの必要巻数からの出力ライン４ｄ，４ｅ…と、当該出力電圧を定電圧に安定化し、所定の構成回路に供給する定電圧回路４ｆとが設けられている。
【０００７】
前記制御ＩＣ３ｃは、１次側フィードバック回路３ｅを介してフィードバック信号が入力されるフィードバック端子Ａと、前記１次側モード切換信号回路３ｆを介してトリガ電圧が入力されるトリガ入力端子としてのゼロ電流検出端子Ｂと、トランス５の１次側メイン巻線５ａに駆動電圧を出力するドレイン端子Ｃと、ＧＮＤ端子Ｄと、電源供給を受ける電源入力端子Ｅを有している。
【０００８】
フィードバック端子Ａに入力された当該フィードバック信号に基づき、制御ＩＣ３ｃはＰＷＭによるフィードバック制御を行い、２次側４の出力電圧が適正電圧となるように適宜調整し、ドレイン端子Ｃよりトランス５の１次側メイン巻線５ａに駆動電圧を出力する。
【０００９】
又、制御ＩＣ３ｃは、トリガ入力端子（＝ゼロ電流検出端子）Ｂに入力された前記トリガ電圧に基づき、液晶テレビのスイッチ４ａオン時に供給されるノーマル電圧を供給するノーマルモードと、テレビのスイッチ４ａオフ時にスタンバイ状態の当該液晶テレビのコントローラに待機電圧を供給するバーストモードとを適宜切り換え制御する。即ち、所定のトリガ電圧が入力された場合には、バーストモードとしてドレイン電流を電流制限し、オン幅を前記フィードバック信号の電圧（ＶF/B）に対してリニアな制御ではなく、例えばＶF/B＞１．８Ｖで発振させ、ＶF/B＜０．８Ｖで停止といったようなヒステリシスによる間欠動作を行う。一方、トリガ電圧が０Ｖとなる場合には、ノーマルモードに切り換え、上記の間欠動作のないリニアな通常の連続動作を行う。
【００１０】
更に、制御ＩＣ３ｃは、共振回路３ｄを介してトランス５のコントロール巻線５ｃにおける電圧を前記ゼロ電流検出端子Ｂに入力することで、２次側４のゼロ電流点を検出し、ドレイン端子Ｃからの出力をスイッチングするメインスイッチング素子のオンタイミングを決定している。
【００１１】
前記１次側フィードバック回路３ｅは、第１のフォトカプラ６を構成するフォトトランジスタ６ａを介して、制御ＩＣ３ｃの前記フィードバック端子ＡとＧＮＤ端子Ｄ間が接続されて成り、当該フォトトランジスタ６ａが、後述する２次側フィードバック回路４ｃに設けられた第１のフォトカプラ６を構成する発光ダイオード６ｂからの所定時の発光を受光することでオンし、前記フィードバック信号を前記フィードバック端子Ａに入力する。
【００１２】
前記１次側モード切換信号回路３ｆは、第２のフォトカプラ７を構成するフォトトランジスタ７ｂを介して、制御ＩＣ３ｃの前記トリガ入力端子ＢとＧＮＤ端子Ｄ間が接続されて成り、当該フォトトランジスタ７ｂが、後述する２次側モード切換信号回路４ｂに設けられた第２のフォトカプラ７を構成する発光ダイオード７ｂからの所定時の発光を受光することでオンし、前記トリガ電圧を前記トリガ入力端子Ｂに入力する。制御ＩＣ３ｃは、当該トリガ電圧の入力を受け、バーストモードへ切り換えて、間欠動作による省電力制御を行う。
【００１３】
前記２次側フィードバック回路４ｃは、２次側４の例えばノーマルモード時に１２Ｖとなる低電圧出力ライン４ｅからノーマルモード時に所定電圧としての２．５Ｖとなるように抵抗４ｇで分圧調整されたノーマルモード検出ライン４ｈ、及び、２次側４の例えばノーマルモード時には４０Ｖ、バーストモード時には８Ｖとなる高電圧出力ライン４ｄからバーストモード時に所定電圧としての２．５Ｖとなるように抵抗４ｉで分圧調整された上、ダイオード４ｋを介したバーストモード検出ライン４ｊが各々、前記高電圧出力ライン４ｄとＧＮＤ４ｌ間にフォトカプラ６を構成する前記発光ダイオード６ｂとともに設けられる、所定電圧以上で通電するシャントレギュレータ４ｍに接続され、更に前記高出力電圧ライン４ｄとＧＮＤ４ｎ間に、テレビのスイッチ４ａのオンオフに応じてオンオフ制御されるトランジスタ４ｏが設けられると共に、当該トランジスタ４ｏに接続される当該高電力出力ライン４ｄと、前記バーストモード検出ライン４ｊの前記ダイオード１４ｋ前段とが並列接続されて成る。
【００１４】
即ち、前記２次側フィードバック回路４ｃは、テレビのスイッチ４ａがオフされている場合、前記トランジスタ４ｏのオフにより、ＧＮＤ４ｎと遮断された前記バーストモード検出ライン４ｊからの調整電圧が前記シャントレギュレータ４ｍを構成する、ツェナーダイオード４ｐに供給される。
【００１５】
一方、テレビのスイッチ４ａがオンされている場合には、前記トランジスタ４ｏのオンにより、前記バーストモード検出ライン４ｊからの調整電圧は、接続されたＧＮＤ４ｎに落とされると共に、前記ノーマルモード検出ライン４ｈからの調整電圧が前記シャントレギュレータ４ｍを構成する、ツェナーダイオード４ｐに供給される。
【００１６】
上記した前記バーストモード検出ライン４ｊからの調整電圧、及び前記ノーマルモード検出ライン４ｈからの調整電圧の何れの調整電圧が供給される場合も、前記ツェナーダイオード４ｐは設定された所定電圧２．４Ｖと比較し、当該所定電圧を超える場合にはオンしてフォトカプラ６を構成する前記発光ダイオード６ｂを発光させる。これに伴い、前記１次側フィードバック回路３ｅは、前記フォトトランジスタ６ａで逐次受光し、前述したようにフィードバック信号を前記制御ＩＣ３ｃのフィードバック端子Ａに入力し、制御する。
【００１７】
前記２次側モード切換信号回路４ｂは、高電圧出力ライン４ｄとＧＮＤ間に第２のフォトカプラ７を構成する発光ダイオード７ｂと、前記２次側フィードバック回路４ｃにおける前記バーストモード検出ライン４ｊの電圧でオンオフされるトランジスタ４ｑを設けて成る。
【００１８】
即ち、前記２次側モード切換信号回路４ｂにおいては、液晶テレビのスイッチ４ａがオンされると、トランジスタ４ｏのベース電圧がＨｉとなり、オンにスイッチングされる。すると、前記高電圧出力ライン４ｄはＧＮＤに導通され、０電位となるため、トランジスタ４ｑはオフにスイッチングされる。その結果、第２のフォトカプラ７を構成する発光ダイオード７ｂには通電されず、第２のフォトカプラ７を構成するフォトトランジスタ７ａはオンせず、１次側モード切換信号回路３ｆによる制御ＩＣ３ｃのトリガ端子Ｂにトリガ電圧は入力されない。従って、制御ＩＣ３ｃはノーマルモードでの制御を行う。
【００１９】
一方、液晶テレビのスイッチ４ａがオフされると、トランジスタ４ｏのベース電圧がＬｏとなり、オフにスイッチングされる。すると、前記高電圧出力ライン４ｄはＧＮＤと絶縁されて、当該高電圧出力ライン４ｄから出力される２．５Ｖの定電圧が印加され、トランジスタ４ｑはオンにスイッチングされる。その結果、第２のフォトカプラ７を構成する発光ダイオード７ｂに通電され発光するため、受光した第２のフォトカプラ７を構成するフォトトランジスタ７ｂはオンし、１次側モード切換信号回路３ｆによる制御ＩＣ３ｃのトリガ端子Ｂにトリガ電圧が入力される。従って、制御ＩＣ３ｃはバーストモードでの間欠発振制御を行う。
【００２０】
上記したように、本従来技術では、第２のフォトカプラ７を介した１次側と２次側の両モード切換信号回路３ｆ，４ｂにより、制御ＩＣ３ｃを適宜、バーストモードに切り換え制御することで、スタンバイ時の消費電力の低減を図っていた。
【００２１】
ところで、従来、スタンバイ時の消費電力の低減を図るため、例えば以下のような公知技術が知られている。
即ち、特開平５−１７６２５８号公報（特許文献１）には、テレビ用電源装置において、フォトカプラを介して、スタンバイ時に１次側のトラジスタをオンさせ、同期発振回路の発振用コンデンサの容量を小さくして、２次側の電流を減少させている構成が開示されている。
【００２２】
又、特開平８−２２３５０８号公報（特許文献２）には、スタンバイ時の電力供給を通常動作時のスイッチングトランスとは別のトランスから電力供給する電源回路において、制御ＩＣへの電源供給回路にスタンバイ／ノーマル切り換え用のトランジスタを設け、フォトカプラからの信号でオンオフする構成が開示されている。
【００２３】
更に、特開２０００−１８４７０９号公報（特許文献３）には、スイッチング装置において、主スイッチをＰＷＭパルスでオンオフし、これに応じた電流を発光ダイオードに流し、スタンバイ時には当該発光ダイオードに強制的に電流を流す構成が開示されている。
【特許文献１】特開平５−１７６２５８号公報
【特許文献２】特開平８−２２３５０８号公報
【特許文献３】特開２０００−１８４７０９号公報
【考案の開示】
【考案が解決しようとする課題】
【００２４】
しかしながら、上記した電源回路２においては、スタンバイ時に制御ＩＣ３ｃをバーストモードに切り換えるための１次側、及び２次側の両モード切換信号回路３ｆ，４ｂ間は、専用の第２のフォトカプラ７が別途必要となっていた。このフォトカプラの設置に伴い、コストアップに繋がっていた。
【００２５】
勿論、１次側、及び２次側の両モード切換信号回路間をフォトカプラを使わずに、直接結線して信号の授受を行えれば、そうしたコストの問題は解決できる。しかし、１次側と２次側との間は絶縁状態にする必要があるため、そうした方法を採用することもできない。
【００２６】
又、前述した特許文献１〜３の何れの構成においても、こうした１次側と２次側との間を絶縁状態を保ったままで、専用のフォトカプラを追加することなく、低コストで制御ＩＣをバーストモードに適宜切り換える構成は提案されてはいない。
【００２７】
本考案は、上記問題にかんがみてなされたもので、電気電子機器のスタンバイ状態において省電力化を図るための制御ＩＣのバーストモードとノーマルモードとの切り換えを、専用のフォトカプラを追加することなく、低コストで正確に行う電源回路を有するテレビ、電源回路、及び電源回路における、当該電気電子機器のスイッチオンオフに伴う電源電圧供給モード切り換え方法を提供することを目的とする。
【課題を解決するための手段】
【００２８】
上記問題を解決する為に請求項１に記載の考案は、１次側の入力電圧をトランスを介して所望の電圧に変換して２次側で出力する電源回路を有するテレビであって、当該電源回路は、２次側の出力電圧に基づくフィードバック信号をフィードバック端子に入力し、１次側の電圧をフィードバック制御する共に、トリガ入力端子へ入力されるトリガ電圧に基づき、テレビのスイッチオン時に供給されるノーマル電圧を供給するノーマルモードと、テレビのスイッチオフ時にスタンバイ状態の当該テレビのコントローラに待機電圧を供給するバーストモードとを適宜切り換え制御する、１次側に設けられた制御ＩＣと、前記フィードバック制御のために、２次側の出力電圧に基づくフィードバック信号を、電圧印加に伴う発光ダイオードの発光と、当該発光の受光に伴いスイッチオンするフォトトランジスタとから成るフォトカプラを介して１次側の前記制御ＩＣに絶縁状態で入力するフィードバック回路と、テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とするモード切換信号回路とを有し、前記フィードバック回路は、１次側フィードバック回路と２次側フィードバック回路とから成る一方、前記モード切換信号回路は、１次側モード切換信号回路と２次側モード切換信号回路とから成り、前記1次側フィードバック回路は、制御ＩＣの前記フィードバック端子とＧＮＤ間にフォトカプラを構成する前記フォトトランジスタを設けて成り、前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前��第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめる構成としている。
【００２９】
上記のように構成した請求項１に記載の考案によれば、テレビに搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になる。
【００３０】
又、２次側のモード切換信号回路もフィードバック回路と兼用するので、２次側の回路構成が簡素化する。
【００３１】
請求項２に記載の考案は、電気電子機器に搭載され、１次側の入力電圧をトランスを介して所望の電圧に変換して２次側で出力する電源回路であって、当該電源回路は、２次側の出力電圧に基づくフィードバック信号をフィードバック端子に入力し、１次側の電圧をフィードバック制御する共に、トリガ入力端子へ入力されるトリガ電圧に基づき、前記電気電子機器のスイッチオン時に供給されるノーマル電圧を供給するノーマルモードと、電気電子機器のスイッチオフ時にスタンバイ状態の当該電気電子機器のコントローラに待機電圧を供給するバーストモードとを適宜切り換え制御する、１次側に設けられた制御ＩＣと、前記フィードバック制御のために、２次側の出力電圧に基づくフィードバック信号を、フォトカプラを介して１次側の前記制御ＩＣに絶縁状態で入力するフィードバック回路と、電気電子機器のスイッチオンオフに伴う２次側の電圧変化に基づき、制御ＩＣの前記トリガ入力端子に対し、電気電子機器のスイッチオフ時には前記トリガ電圧を供給する一方、電気電子機器のスイッチオン時には前記トリガ電圧を非供給とするモード切換信号回路とを有し、制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめる構成としている。
【００３２】
上記のように構成した請求項２に記載の考案によれば、電気電子機器に搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になる。
【００３３】
又、２次側のモード切換信号回路もフィードバック回路と兼用するので、２次側の回路構成が簡素化する。
【００３４】
請求項３に記載の考案は、前記フォトカプラは、電圧印加に伴う発光ダイオードの発光と、当該発光の受光に伴いスイッチオンするフォトトランジスタとから成る構成としている。
【００３５】
上記のように構成した請求項３に記載の考案によれば、フィードバック回路用の、電圧印加に伴う発光ダイオードの発光と、当該発光の受光に伴いスイッチオンするフォトトランジスタとから成るフォトカプラを兼用することで、請求項２に記載の作用が得られる。
【００３６】
請求項４に記載の考案は、前記電気電子機器はテレビであり、前記モード切換信号回路は、当該テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とする構成としている。
【００３７】
上記のように構成した請求項４に記載の考案によれば、テレビに搭載される電源回路について、請求項２〜請求項３に記載の作用が得られる。
【００３８】
請求項５に記載の考案は、前記フィードバック回路は、１次側フィードバック回路と２次側フィードバック回路とから成る一方、前記モード切換信号回路は、１次側モード切換信号回路と２次側モード切換信号回路とから成り、前記1次側フィードバック回路は、制御ＩＣの前記フィードバック端子とＧＮＤ間にフォトカプラを構成する前記フォトトランジスタを設けて成り、前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前記第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめる構成としている。
【００３９】
上記のように構成した請求項５に記載の考案によれば、２次側フィードバック回路と兼用する２次側モード切換信号回路の第３のスイッチング素子、及びそれに応じた１次側モード切換信号回路の第１、及び第２のスイッチング素子が適宜スイッチングされることにより、請求項１に記載の作用が得られる。
【００４０】
以上に記載したテレビ、及び電源回路は、装置としてのみならず、方法としても提供し得る。そこで、請求項６に記載の考案は、電気電子機器に搭載され、１次側の入力電圧をトランスを介して所望の電圧に変換して２次側で出力する電源回路における、当該電気電子機器のスイッチオンオフに伴う電源電圧供給モード切り換え方法であって、２次側の出力電圧に基づくフィードバック信号をフィードバック端子に入力し、１次側の電圧をフィードバック制御する共に、トリガ入力端子へ入力されるトリガ電圧に基づき、前記電気電子機器のスイッチオン時に供給されるノーマル電圧を供給するノーマルモードと、電気電子機器のスイッチオフ時にスタンバイ状態の当該電気電子機器のコントローラに待機電圧を供給するバーストモードとを適宜切り換え制御する１次側に設けられた制御ＩＣの、前記トリガ入力端子に適宜トリガ電圧を入力するための２次側から１次側への信号送受信を、前記フィードバック制御のために、２次側の出力電圧に基づくフィードバック信号を１次側の前記制御ＩＣに絶縁状態で入力するフィードバック回路用のフォトカプラを兼用して行うことで、専用のフォトカプラを抹消せしめる構成としている。
【００４１】
上記のように構成した請求項６に記載の考案によれば、請求項１に記載の作用と同様の作用を得る方法を提供し得る。
【考案の効果】
【００４２】
請求項１に記載の考案によれば、テレビに搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になるため、低コストでありながら、スタンバイ状態で低消費電力である優れたテレビを提供し得る。
【００４３】
又、２次側のモード切換信号回路もフィードバック回路と兼用するので、２次側の回路構成が簡素化するため、１次側のモード切換信号回路の追加も、コストアップには繋がらない。
【００４４】
請求項２に記載の考案によれば、電気電子機器に搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になるため、低コストでありながら、スタンバイ状態で低消費電力である優れた電気電子機器に搭載される電源回路を提供し得る。。
【００４５】
又、２次側のモード切換信号回路もフィードバック回路と兼用するので、２次側の回路構成が簡素化するため、１次側のモード切換信号回路の追加も、コストアップには繋がらない。
【００４６】
請求項３に記載の考案によれば、フィードバック回路用の、電圧印加に伴う発光ダイオードの発光と、当該発光の受光に伴いスイッチオンするフォトトランジスタとから成るフォトカプラを兼用することで、請求項２に記載の効果が確実に得られる。
【００４７】
請求項４に記載の考案によれば、低コスト且つ低消費電力の優れたテレビを提供できる。
【００４８】
請求項５に記載の考案によれば、請求項１に記載の効果が同様に得られる。
【００４９】
請求項６に記載の考案によれば、請求項１に記載の効果と同様の効果を得る方法を提供し得る。
【考案を実施するための最良の形態】
【００５０】
以下、本考案を具体化した実施例について説明する。
【実施例１】
【００５１】
本実施例では、電気電子機器として液晶テレビに適用した場合について説明する。
【００５２】
図１には、電気電子機器としての液晶テレビの構成を説明するブロック図を示す。
【００５３】
同図において、液晶テレビ１１は、本体の動作を制御するコントローラ１１ａと、図示していないアンテナで受信されるテレビ放送信号から選択されているチャンネルのテレビ放送信号を抽出し、出力するチューナ１１ｂと、該チューナ１１ｂが出力したテレビ放送信号に基く映像を液晶画面１１ｃに表示する映像処理部１１ｄと、該チューナ１１ｂが出力したテレビ放送信号に基く音声をスピーカ１１ｅから出力する音声処理部１１ｆと、リモコン１１ｇから送信されてきた操作コマンドを受信するリモコン受信部１１ｈとを備えている。
【００５４】
コントローラ１１ａは、リモコン受信部１１ｈで受信した制御コマンドに応じて、後述するスイッチ１４ａのオン／オフ、チャンネルの切換、音量のアップ／ダウン等を制御する。液晶テレビ１１の各部には、電源回路１２から動作電源が供給されている。この電源回路１２には、外部から商用電源（例えば、ＡＣ１００Ｖ）が入力される。
【００５５】
図２には、前記電源回路１２の回路図を示す。
【００５６】
同図において、電源回路１２は部分共振電源回路であり、外部の例えば商用ＡＣ電源をブリッジダイオード１３ａで全波整流した上、コンデンサ１３ｂで平滑化され入力される１次側１３と、トランス１５を介して所望の電圧に調整され、各構成回路に出力される２次側１４とから成る。
【００５７】
１次側１３には、１次側の電圧を適宜調整する制御ＩＣ１３ｃと、共振回路１３ｄと、２次側１４の電圧を制御ＩＣ１３ｃにフィードバックする１次側フィードバック回路１３ｅと、２次側１４に設けられた液晶テレビ１１の後述するスイッチ１４ａのオンオフの状態を示すトリガ電圧を制御ＩＣ１３ｃに入力する１次側モード切換信号回路１３ｆとが設けられている。
【００５８】
一方、２次側１４には、液晶テレビの電源をオンオフするスイッチ１４ａと、当該スイッチ１４ａのオンオフに応じて、前記１次側モード切換信号回路１３ｆに信号送信する２次側モード切換信号回路１４ｂと、２次側１４の出力電圧に応じて、前記１次側フィードバック回路１３ｅに信号送信する２次側フィードバック回路１４ｃと、所定の出力電圧を出力可能にトランス１５の２次側巻線１５ｂの必要巻数からの出力ライン１４ｄ,１４ｅ…と、当該出力電圧を定電圧に安定化し、所定の構成回路に供給する定電圧回路１４ｆとが設けられている。
【００５９】
前記制御ＩＣ１３ｃは、１次側フィードバック回路１３ｅを介してフィードバック信号が入力されるフィードバック端子Ａと、前記１次側モード切換信号回路１３ｆを介してトリガ電圧が入力されるトリガ入力端子としてのゼロ電流検出端子Ｂと、トランス１５の１次側メイン巻線１５ａに駆動電圧を出力するドレイン端子Ｃと、ＧＮＤ端子Ｄと、電源供給を受ける電源入力端子Ｅを有している。
【００６０】
フィードバック端子Ａに入力された当該フィードバック信号に基づき、制御ＩＣ１３ｃはＰＷＭによるフィードバック制御を行い、２次側１４の出力電圧が適正電圧となるように適宜調整し、ドレイン端子Ｃよりトランス１５の１次側メイン巻線１５ａに駆動電圧を出力する。
【００６１】
又、制御ＩＣ１３ｃは、トリガ入力端子（＝ゼロ電流検出端子）Ｂに入力された前記トリガ電圧に基づき、液晶テレビ１１のスイッチ１４ａオン時に供給されるノーマル電圧を供給するノーマルモードと、テレビ１１のスイッチ１４ａオフ時にスタンバイ状態の当該液晶テレビ１１のコントローラ１１ａに待機電圧を供給するバーストモードとを適宜切り換え制御する。即ち、所定のトリガ電圧が入力された場合には、バーストモードとしてドレイン電流を電流制限し、オン幅を前記フィードバック信号の電圧（ＶF/B）に対してリニアな制御ではなく、例えばＶF/B＞１．８Ｖで発振させ、ＶF/B＜０．８Ｖで停止といったようなヒステリシスによる間欠動作を行う。一方、トリガ電圧が０Ｖとなる場合には、ノーマルモードに切り換え、上記の間欠動作のないリニアな通常の連続動作を行う。
【００６２】
更に、制御ＩＣ１３ｃは、共振回路１３ｄを介してトランス１５のコントロール巻線１５ｃにおける電圧を前記ゼロ電流検出端子Ｂに入力することで、２次側１４のゼロ電流点を検出し、ドレイン端子Ｃからの出力をスイッチングするメインスイッチング素子のオンタイミングを決定している。
【００６３】
前記１次側フィードバック回路１３ｅは、フォトカプラ１６を構成するフォトトランジスタ１６ａを介して、制御ＩＣ１３ｃの前記フィードバック端子ＡとＧＮＤ端子Ｄ間が接続されて成り、当該フォトトランジスタ１６ａが、後述する２次側フィードバック回路１４ｃに設けられたフォトカプラ１６を構成する発光ダイオード１６ｂからの所定時の発光を受光することでオンし、前記フィードバック信号を前記フィードバック端子Ａに入力する。
【００６４】
前記１次側モード切換信号回路１３ｆは、補償回路１３ｇを介した前記１次側フィードバック回路１３ｅとＧＮＤ端子Ｄ間をオンオフ可能に、ツェナーダイオード１３ｈを介してベースにバイパス入力されるように第１のスイッチング素子としてのトランジスタ１３ｉを設けると共に、前記１次側フィードバック回路１３ｅと当該トランジスタ１３ｉ間が第２のスイッチング素子としてのトランジスタ１３ｊのベースに接続され、当該トランジスタ１３ｊで制御ＩＣ１３ｃの前記トリガ入力端子ＢとＧＮＤ端子Ｄ間をオンオフするように構成されて成る。
【００６５】
即ち、前記１次側モード切換信号回路１３ｆは、前記１次側フィードバック回路１３ｅがフォトトランジスタ１６ａによりオンされ、電圧が低下すると、ツェナーダイオード１３ｈを介してトランジスタ１３ｉがオフされる。すると、補償回路１３ｇとトランジスタ１３ｉ間の電位が上がり、それに伴ってトランジスタ１３ｊがオンされる。従って、制御ＩＣ１３ｃの前記トリガ入力端子Ｂにはトリガ電圧が入力されて制御ＩＣ１３ｃがバーストモードとなる。
【００６６】
一方、１次側モード切換信号回路１３ｆは、前記１次側フィードバック回路１３ｅがフォトトランジスタ１６ａによりオフされると、補償回路１３ｇ側の電位が上昇し、ツェナーダイオード１３ｈを介して前記トランジスタ１３ｉはオンされる。すると、前記トランジスタ１３ｊのベース電位は０Ｖとなり、当該トランジス１３ｊはオフされる。従って、制御ＩＣ１３ｃの前記トリガ入力端子Ｂにはトリガ電圧は入力されず、制御ＩＣ１３ｃはノーマルモードに切り換わる。
【００６７】
前記２次側フィードバック回路１４ｃ、及び前記２次側モード切換信号回路１４ｂは、２次側１４の例えばノーマルモード時に１２Ｖとなる低電圧出力ライン１４ｅからノーマルモード時に所定電圧としての２．５Ｖとなるように抵抗１４ｇで分圧調整されたノーマルモード検出ライン１４ｈ、及び、２次側１４の例えばノーマルモード時には４０Ｖ、バーストモード時には８Ｖとなる高電圧出力ライン１４ｄからバーストモード時に所定電圧としての２．５Ｖとなるように抵抗１４ｉで分圧調整された上、ダイオード１４ｋを介したバーストモード検出ライン１４ｊが各々、前記高電圧出力ライン１４ｄとＧＮＤ１４ｌ間にフォトカプラ１６を構成する前記発光ダイオード１６ｂとともに設けられる、所定電圧以上で通電するシャントレギュレータ１４ｍに接続され、更に前記高出力電圧ライン１４ｄとＧＮＤ１４ｎ間に、テレビのスイッチ１４ａのオンオフに応じてオンオフ制御される第３のスイッチング素子としてのトランジスタ１４ｏが設けられると共に、当該トランジスタ１４ｏに接続される当該高電力出力ライン１４ｄと、前記バーストモード検出ライン１４ｊの前記ダイオード１４ｋ前段とが並列接続されて成る。
【００６８】
即ち、前記２次側フィードバック回路１４ｃは、テレビのスイッチ１４ａがオフされている場合、前記トランジスタ１４ｏのオフにより、ＧＮＤ１４ｎと遮断された前記バーストモード検出ライン１４ｊからの調整電圧が前記シャントレギュレータ１４ｍを構成する、ツェナーダイオード１４ｐに供給される。
【００６９】
一方、テレビのスイッチ１４ａがオンされている場合には、前記トランジスタ１４ｏのオンにより、前記バーストモード検出ライン１４ｊからの調整電圧は、接続されたＧＮＤ１４ｎに落とされると共に、前記ノーマルモード検出ライン１４ｈからの調整電圧が前記シャントレギュレータ１４ｍを構成する、ツェナーダイオード１４ｐに供給される。
【００７０】
上記した前記バーストモード検出ライン１４ｊからの調整電圧、及び前記ノーマルモード検出ライン１４ｈからの調整電圧の何れの調整電圧が供給される場合も、前記ツェナーダイオード１４ｐは設定された所定電圧２．４Ｖと比較し、当該所定電圧を超える場合にはオンしてフォトカプラ１６を構成する前記発光ダイオード１６ｂを発光させる。これに伴い、前記１次側フィードバック回路１３ｅは、前記フォトトランジスタ１６ａで逐次受光し、前述したようにフィードバック信号を前記制御ＩＣ１３ｃのフィードバック端子Ａに入力し、制御する。
【００７１】
又、上記した２次側の両モード切換信号回路１４ｂは、テレビのスイッチ１４ａがオフされた場合には、前記トランジスタ１４ｏのオフにより、ＧＮＤ１４ｎと遮断された前記バーストモード検出ライン１４ｊからの調整電圧が前記シャントレギュレータ１４ｍを構成する、ツェナーダイオード１４ｐに供給される。スイッチ１４ａがオフされる時点では、制御ＩＣ１３ｃはまだノーマルモードからバーストモードに切り換わっていないため、高電圧出力ライン１４ｄの出力電圧は４０Ｖとなっている。しかし、前記バーストモード検出ライン１４ｊで２．５Ｖに分圧調整する抵抗１４ｉは、高電圧出力ライン１４ｄの出力電圧がバーストモード時の８Ｖの場合で設定されているため、前記したスイッチ１４ａがオフされる時点での当該バーストモード検出ライン１４ｊでの調整電圧は２．５Ｖよりも高くなる。従って、入力電圧が２．５Ｖ以上の場合に導通するように設定されているツェナーダイオード１４ｐはオンとなり、フォトカプラ１６を構成する前記発光ダイオード１６ｂが発光する。
【００７２】
１次側フィードバック回路１３ｅの前記フォトトランジスタ１６ａは、受光に伴いオンされ、前記１次側フィードバック回路１３ｅに通電される。その結果、１次側モード切換信号回路１３ｆにおいて、
補償回路１３ｇとＧＮＤ端子Ｄ間の電位が低下して前記トランジスタ１３ｉがオフする結果、補償回路１３ｇとトランジスタ１３ｉ間の電位が上がり、それに伴い前記トランジスタ１３ｊがオンされ、制御ＩＣ１３ｃの前記トリガ入力端子Ｂにはトリガ電圧が入力されて、制御ＩＣ１３ｃがバーストモードに切り換わる。
【００７３】
一方、２次側の両モード切換信号回路１４ｂは、テレビのスイッチ１４ａがオンされた場合には、前記トランジスタ１４ｏのオンにより、前記バーストモード検出ライン１４ｊからの調整電圧は、接続されたＧＮＤ１４ｎに落とされると共に、前記ノーマルモード検出ライン１４ｈからの調整電圧が前記シャントレギュレータ１４ｍを構成する、ツェナーダイオード１４ｐに供給される。このノーマルモード検出ライン１４ｈからの調整電圧は、ダイオード１４ｋの存在により、オンされた前記トランジスタ１４ｏ側のＧＮＤ１４ｎに落とされることはない。
【００７４】
スイッチ１４ａがオンされた時点では、制御ＩＣ１３ｃはまだバーストモードからノーマルモードに切り換わっていないため、低電圧出力ライン１４ｅの出力電圧はノーマルモード時の１２Ｖにはなっていない。しかし、前記ノーマルモード検出ライン１４ｈで２．５Ｖに分圧調整する抵抗１４ｉは、低電圧出力ライン１４ｅの出力電圧がノーマルモード時の１２Ｖの場合で設定されているため、前記したスイッチ１４ａがオンされる時点での当該ノーマルモード検出ライン１４ｈでの調整電圧は２．５Ｖよりも低くなる。従って、入力電圧が２．５Ｖ以上の場合に導通するように設定されているツェナーダイオード１４ｐはオフとなり、フォトカプラ１６を構成する前記発光ダイオード１６ｂは発光しない。
【００７５】
１次側フィードバック回路１３ｅの前記フォトトランジスタ１６ａは、受光しないためオフされ、前記１次側フィードバック回路１３ｅは遮断される。その結果、１次側モード切換信号回路１３ｆにおいて、補償回路１３ｇとＧＮＤ端子Ｄ間の電位が上昇して前記トランジスタ１３ｉがオンする結果、補償回路１３ｇとトランジスタ１３ｉ間の電位が下がり、それに伴い前記トランジスタ１３ｊがオフされ、制御ＩＣ１３ｃの前記トリガ入力端子Ｂにはトリガ電圧が入力されず、制御ＩＣ１３ｃがノーマルモードに切り換わる。
【００７６】
即ち、１次側、及び２次側の両モード切換信号回路１３ｆ，１４ｂは、１次側、及び２次側の両フィードバック回路１３ｅ，１４ｃが元来備えているフォトカプラ１６を兼用することで、モード切り換え機能を作動し得る。
【００７７】
更に、２次側モード切換信号回路１４ｂは２次側フィードバック回路１４ｃと兼用するため回路構成が簡略化され、１次側モード切換信号回路１３ｆの回路追加分を相殺し得る。
【００７８】
以上に説明したように、本実施例における液晶テレビに設けられた電源回路によれば、電源スイッチのオンオフに応じてノーマルモードとバーストモードとを適宜切り換えるためのモード切換信号回路における２次側から１次側への信号の送受信に、従来より既存のフィードバック回路用のフォトカプラを兼用して行うようにしたので、専用のフォトカプラを別途設ける必要がなくなり、低コストでありながら、従来同様、正確にモードの切り換えを行い得る低消費電力の電気電子機器を提供できる。。
【００７９】
尚、本願考案は本実施例の構成に限定されるものではなく、以下に列記する構成について、適宜変更可能である。
【００８０】
１．本実施例では、電源回路を液晶テレビに搭載する場合について説明したが、電源回路を搭載する電気電子機器は、液晶テレビに限定されることはなく、ＣＲＴテレビ、ＰＤＰテレビ等の他のテレビ、更には各種家電製品等、スタンバイ状態での省電力化を図る必要のある各種電気電子機器に広く適用可能である。
【００８１】
２．本実施例の電源回路の設定電圧等の具体的な各種パラメータは、電気電子機器の要求される使用に応じて、適宜変更し得る。
【００８２】
３．本実施例で説明した電源回路に搭載する制御ＩＣは、新電元工業社製のスタンバイ対応部分共振電源用ＩＣ「ＭＲシリーズ」を前提に説明したが、制御ＩＣのこの機種はあくまで一例に過ぎず、スタンバイとノーマルとの切り換え機能を有する他の機種の制御ＩＣに適用することも可能である。
【００８３】
但し、その場合、制御ＩＣの要求される各仕様に合わせて、各種パラメータは適宜変更される。
【００８４】
４．各実施例における、電源回路の具体的な回路構成は一例に過ぎず、同様な機能を有する回路に適宜変更可能である。要は、フィードバック回路が元来保有するフォトカプラをモード切換信号回路用として兼用できる構成であれば良い。
【００８５】
５．各スイッチング素子は、ＦＥＴ、スイッチングトランジスタ、ＩＧＢＴ等の各種スイッチング素子が適用可能である。
【００８６】
６．以上に述べた電源回路、或いは当該電源回路を搭載した電気電子機器であるテレビとしての構成のみならず、同様の構成により、電源回路における、当該電気電子機器のスイッチオンオフに伴う電源電圧供給モード切り換え方法として提供し得るのは言うまでもない。
【産業上の利用可能性】
【００８７】
電気電子機器のスタンバイ状態において省電力化を図るための制御ＩＣのバーストモードとノーマルモードとの切り換えを、専用のフォトカプラを追加することなく、低コストで正確に行う電源回路を有するテレビ、電源回路、及び電源回路における、当該電気電子機器のスイッチオンオフに伴う電源電圧供給モード切り換え方法を提供する
【図面の簡単な説明】
【００８８】
【図１】本考案の実施例１を説明するブロック図である。
【図２】本考案の実施例１を説明する回路図である。
【図３】従来技術を説明する回路図である。
【符号の説明】
【００８９】
１３ｃ…制御ＩＣ
１３ｅ…１次側フィードバック回路
１３ｆ…１次側モード切換信号回路
１３ｇ…補償回路
１３ｈ…ツェナーダイオード
１３ｉ…第１のスイッチング素子としてのトランジスタ
１３ｊ…第２のスイッチング素子としてのトランジスタ
１４ｂ…２次側モード切換信号回路
１４ｃ…２次側フィードバック回路
１４ｄ…高電圧出力ライン
１４ｅ…低電圧出力ライン
１４ｈ…ノーマルモード検出ライン
１４ｊ…バーストモード検出ライン
１４ｋ…ダイオード
１４ｌ…ＧＮＤ
１４ｍ…シャントレギュレータ
１４ｎ…ＧＮＤ
１４ｏ…第３のスイッチング素子としてのトランジスタ
１４ｐ…ツェナーダイオード  
１５…トランス
１６…フォトカプラ
１６ａ…フォトトランジスタ
１６ｂ…発光ダイオード
Ａ…フィードバック端子
Ｂ…トリガ入力端子（＝ゼロ電流検出端子）
Ｃ…ドレイン端子
【図１】
0003111439.tif 000003
【図２】
0003111439.tif 000004
【図３】
0003111439.tif 000005
【手続補正書】
【提出日】平成17年4月14日(2005.4.14)
【手続補正１】
【補正対象書類名】実用新案登録請求の範囲
【補正対象項目名】全文
【補正方法】変更
【補正の内容】
【実用新案登録請求の範囲】
【請求項１】
１次側の入力電圧をトランスを介して所望の電圧に変換して２次側で出力する電源回路を有するテレビであって、
当該電源回路は、
２次側の出力電圧に基づくフィードバック信号をフィードバック端子に入力し、１次側の電圧をフィードバック制御する共に、トリガ入力端子へ入力されるトリガ電圧に基づき、テレビのスイッチオン時に供給されるノーマル電圧を供給するノーマルモードと、テレビのスイッチオフ時にスタンバイ状態の当該テレビのコントローラに待機電圧を供給するバーストモードとを適宜切り換え制御する、１次側に設けられた制御ＩＣと、
前記フィードバック制御のために、２次側の出力電圧に基づくフィードバック信号を、電圧印加に伴う発光ダイオードの発光と、当該発光の受光に伴いスイッチオンするフォトトランジスタとから成るフォトカプラを介して１次側の前記制御ＩＣに絶縁状態で入力するフィードバック回路と、
テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とするモード切換信号回路とを有し、
前記フィードバック回路は、１次側フィードバック回路と２次側フィードバック回路とから成る一方、
前記モード切換信号回路は、１次側モード切換信号回路と２次側モード切換信号回路とから成り、
前記1次側フィードバック回路は、制御ＩＣの前記フィードバック端子とＧＮＤ間にフォトカプラを構成する前記フォトトランジスタを設けて成り、
前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、
前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、
テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前記第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、
テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、
制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめることを特徴とする、テレビ。
【請求項２】
電気電子機器に搭載され、１次側の入力電圧をトランスを介して所望の電圧に変換して２次側で出力する電源回路であって、
当該電源回路は、
２次側の出力電圧に基づくフィードバック信号をフィードバック端子に入力し、１次側の電圧をフィードバック制御する共に、トリガ入力端子へ入力されるトリガ電圧に基づき、前記電気電子機器のスイッチオン時に供給されるノーマル電圧を供給するノーマルモードと、電気電子機器のスイッチオフ時にスタンバイ状態の当該電気電子機器のコントローラに待機電圧を供給するバーストモードとを適宜切り換え制御する、１次側に設けられた制御ＩＣと、
前記フィードバック制御のために、２次側の出力電圧に基づくフィードバック信号を、フォトカプラを介して１次側の前記制御ＩＣに絶縁状態で入力するフィードバック回路と、
電気電子機器のスイッチオンオフに伴う２次側の電圧変化に基づき、制御ＩＣの前記トリガ入力端子に対し、電気電子機器のスイッチオフ時には前記トリガ電圧を供給する一方、電気電子機器のスイッチオン時には前記トリガ電圧を非供給とするモード切換信号回路とを有し、
制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめることを特徴とする、電源回路。
【請求項３】
前記フォトカプラは、電圧印加に伴う発光ダイオードの発光と、当該発光の受光に伴いスイッチオンするフォトトランジスタとから成ることを特徴とする、請求項２に記載の電源回路。
【請求項４】
前記電気電子機器はテレビであり、前記モード切換信号回路は、当該テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とすることを特徴とする、請求項２〜請求項３に記載の電源回路。
【請求項５】
前記フィードバック回路は、１次側フィードバック回路と２次側フィードバック回路とから成る一方、
前記モード切換信号回路は、１次側モード切換信号回路と２次側モード切換信号回路とから成り、
前記1次側フィードバック回路は、制御ＩＣの前記フィードバック端子とＧＮＤ間にフォトカプラを構成する前記フォトトランジスタを設けて成り、
前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、
前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、
テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前記第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、
テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、
制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめることを特徴とする、請求項２〜請求項４に記載の電源回路。
【手続補正２】
【補正対象書類名】明細書
【補正対象項目名】全文
【補正方法】変更
【補正の内容】
【考案の詳細な説明】
【技術分野】
【０００１】
本考案は、１次側の入力電圧をトランスを介して所望の電圧に変換して２次側で出力する電源回路を有するテレビ、及び電気電子機器に搭載され、１次側の入力電圧をトランスを介して所望の電圧に変換して２次側で出力する電源回路に関する。
【背景技術】
【０００２】
近年、省エネルギーの高まりから、電気電子機器においては、電源オフにした所謂スタンバイ時の消費電力の低減が求められるようになっている。そこで、外部から供給される電源電圧を所望の電圧に調整した上、各構成回路に供給するために通常、設けられる電源回路に、このようなスタンバイ時における消費電力の低減のための制御が加えられるようになってきている。
【０００３】
図に電気電子機器として例えば液晶テレビに設けられる、前記したスタンバイ時における消費電力の低減のための制御が加えられた電源回路の一例を示す。
【０００４】
電源回路２は部分共振電源回路であり、外部の例えば商用ＡＣ電源をブリッジダイオード３ａで全波整流した上、コンデンサ３ｂで平滑化され入力される１次側３と、トランス５を介して所望の電圧に調整され、各構成回路に出力される２次側４とから成る。
【０００５】
１次側３には、１次側の電圧を適宜調整する制御ＩＣ３ｃと、共振回路３ｄと、２次側４の電圧を制御ＩＣ３ｃにフィードバックする１次側フィードバック回路３ｅと、２次側４に設けられた液晶テレビのスイッチ４ａのオンオフの状態を示すトリガ電圧を制御ＩＣ３ｃに入力する１次側モード切換信号回路３ｆとが設けられている。
【０００６】
一方、２次側４には、液晶テレビの電源をオンオフするスイッチ４ａと、当該スイッチ４ａのオンオフに応じて、前記１次側モード切換信号回路に３ｆ信号送信する２次側モード切換信号回路４ｂと、２次側４の出力電圧に応じて、前記１次側フィードバック回路３ｅに信号送信する２次側フィードバック回路４ｃと、所定の出力電圧を出力可能にトランス５の２次側巻線５ｂの必要巻数からの出力ライン４ｄ，４ｅ…と、当該出力電圧を定電圧に安定化し、所定の構成回路に供給する定電圧回路４ｆとが設けられている。
【０００７】
前記制御ＩＣ３ｃは、１次側フィードバック回路３ｅを介してフィードバック信号が入力されるフィードバック端子Ａと、前記１次側モード切換信号回路３ｆを介してトリガ電圧が入力されるトリガ入力端子としてのゼロ電流検出端子Ｂと、トランス５の１次側メイン巻線５ａに駆動電圧を出力するドレイン端子Ｃと、ＧＮＤ端子Ｄと、電源供給を受ける電源入力端子Ｅを有している。
【０００８】
フィードバック端子Ａに入力された当該フィードバック信号に基づき、制御ＩＣ３ｃはＰＷＭによるフィードバック制御を行い、２次側４の出力電圧が適正電圧となるように適宜調整し、ドレイン端子Ｃよりトランス５の１次側メイン巻線５ａに駆動電圧を出力する。
【０００９】
又、制御ＩＣ３ｃは、トリガ入力端子（＝ゼロ電流検出端子）Ｂに入力された前記トリガ電圧に基づき、液晶テレビのスイッチ４ａオン時に供給されるノーマル電圧を供給するノーマルモードと、テレビのスイッチ４ａオフ時にスタンバイ状態の当該液晶テレビのコントローラに待機電圧を供給するバーストモードとを適宜切り換え制御する。即ち、所定のトリガ電圧が入力された場合には、バーストモードとしてドレイン電流を電流制限し、オン幅を前記フィードバック信号の電圧（ＶF/B）に対してリニアな制御ではなく、例えばＶF/B＞１．８Ｖで発振させ、ＶF/B＜０．８Ｖで停止といったようなヒステリシスによる間欠動作を行う。一方、トリガ電圧が０Ｖとなる場合には、ノーマルモードに切り換え、上記の間欠動作のないリニアな通常の連続動作を行う。
【００１０】
更に、制御ＩＣ３ｃは、共振回路３ｄを介してトランス５のコントロール巻線５ｃにおける電圧を前記ゼロ電流検出端子Ｂに入力することで、２次側４のゼロ電流点を検出し、ドレイン端子Ｃからの出力をスイッチングするメインスイッチング素子のオンタイミングを決定している。
【００１１】
前記１次側フィードバック回路３ｅは、第１のフォトカプラ６を構成するフォトトランジスタ６ａを介して、制御ＩＣ３ｃの前記フィードバック端子ＡとＧＮＤ端子Ｄ間が接続されて成り、当該フォトトランジスタ６ａが、後述する２次側フィードバック回路４ｃに設けられた第１のフォトカプラ６を構成する発光ダイオード６ｂからの所定時の発光を受光することでオンし、前記フィードバック信号を前記フィードバック端子Ａに入力する。
【００１２】
前記１次側モード切換信号回路３ｆは、第２のフォトカプラ７を構成するフォトトランジスタ７ｂを介して、制御ＩＣ３ｃの前記トリガ入力端子ＢとＧＮＤ端子Ｄ間が接続されて成り、当該フォトトランジスタ７ｂが、後述する２次側モード切換信号回路４ｂに設けられた第２のフォトカプラ７を構成する発光ダイオード７ｂからの所定時の発光を受光することでオンし、前記トリガ電圧を前記トリガ入力端子Ｂに入力する。制御ＩＣ３ｃは、当該トリガ電圧の入力を受け、バーストモードへ切り換えて、間欠動作による省電力制御を行う。
【００１３】
前記２次側フィードバック回路４ｃは、２次側４の例えばノーマルモード時に１２Ｖとなる低電圧出力ライン４ｅからノーマルモード時に所定電圧としての２．５Ｖとなるように抵抗４ｇで分圧調整されたノーマルモード検出ライン４ｈ、及び、２次側４の例えばノーマルモード時には４０Ｖ、バーストモード時には８Ｖとなる高電圧出力ライン４ｄからバーストモード時に所定電圧としての２．５Ｖとなるように抵抗４ｉで分圧調整された上、ダイオード４ｋを介したバーストモード検出ライン４ｊが各々、前記高電圧出力ライン４ｄとＧＮＤ４ｌ間にフォトカプラ６を構成する前記発光ダイオード６ｂとともに設けられる、所定電圧以上で通電するシャントレギュレータ４ｍに接続され、更に前記高出力電圧ライン４ｄとＧＮＤ４ｎ間に、テレビのスイッチ４ａのオンオフに応じてオンオフ制御されるトランジスタ４ｏが設けられると共に、当該トランジスタ４ｏに接続される当該高電力出力ライン４ｄと、前記バーストモード検出ライン４ｊの前記ダイオード１４ｋ前段とが並列接続されて成る。
【００１４】
即ち、前記２次側フィードバック回路４ｃは、テレビのスイッチ４ａがオフされている場合、前記トランジスタ４ｏのオフにより、ＧＮＤ４ｎと遮断された前記バーストモード検出ライン４ｊからの調整電圧が前記シャントレギュレータ４ｍを構成する、ツェナーダイオード４ｐに供給される。
【００１５】
一方、テレビのスイッチ４ａがオンされている場合には、前記トランジスタ４ｏのオンにより、前記バーストモード検出ライン４ｊからの調整電圧は、接続されたＧＮＤ４ｎに落とされると共に、前記ノーマルモード検出ライン４ｈからの調整電圧が前記シャントレギュレータ４ｍを構成する、ツェナーダイオード４ｐに供給される。
【００１６】
上記した前記バーストモード検出ライン４ｊからの調整電圧、及び前記ノーマルモード検出ライン４ｈからの調整電圧の何れの調整電圧が供給される場合も、前記ツェナーダイオード４ｐは設定された所定電圧２．４Ｖと比較し、当該所定電圧を超える場合にはオンしてフォトカプラ６を構成する前記発光ダイオード６ｂを発光させる。これに伴い、前記１次側フィードバック回路３ｅは、前記フォトトランジスタ６ａで逐次受光し、前述したようにフィードバック信号を前記制御ＩＣ３ｃのフィードバック端子Ａに入力し、制御する。
【００１７】
前記２次側モード切換信号回路４ｂは、高電圧出力ライン４ｄとＧＮＤ間に第２のフォトカプラ７を構成する発光ダイオード７ｂと、前記２次側フィードバック回路４ｃにおける前記バーストモード検出ライン４ｊの電圧でオンオフされるトランジスタ４ｑを設けて成る。
【００１８】
即ち、前記２次側モード切換信号回路４ｂにおいては、液晶テレビのスイッチ４ａがオンされると、トランジスタ４ｏのベース電圧がＨｉとなり、オンにスイッチングされる。すると、前記高電圧出力ライン４ｄはＧＮＤに導通され、０電位となるため、トランジスタ４ｑはオフにスイッチングされる。その結果、第２のフォトカプラ７を構成する発光ダイオード７ｂには通電されず、第２のフォトカプラ７を構成するフォトトランジスタ７ａはオンせず、１次側モード切換信号回路３ｆによる制御ＩＣ３ｃのトリガ端子Ｂにトリガ電圧は入力されない。従って、制御ＩＣ３ｃはノーマルモードでの制御を行う。
【００１９】
一方、液晶テレビのスイッチ４ａがオフされると、トランジスタ４ｏのベース電圧がＬｏとなり、オフにスイッチングされる。すると、前記高電圧出力ライン４ｄはＧＮＤと絶縁されて、当該高電圧出力ライン４ｄから出力される２．５Ｖの定電圧が印加され、トランジスタ４ｑはオンにスイッチングされる。その結果、第２のフォトカプラ７を構成する発光ダイオード７ｂに通電され発光するため、受光した第２のフォトカプラ７を構成するフォトトランジスタ７ｂはオンし、１次側モード切換信号回路３ｆによる制御ＩＣ３ｃのトリガ端子Ｂにトリガ電圧が入力される。従って、制御ＩＣ３ｃはバーストモードでの間欠発振制御を行う。
【００２０】
上記したように、本従来技術では、第２のフォトカプラ７を介した１次側と２次側の両モード切換信号回路３ｆ，４ｂにより、制御ＩＣ３ｃを適宜、バーストモードに切り換え制御することで、スタンバイ時の消費電力の低減を図っていた。
【００２１】
ところで、従来、スタンバイ時の消費電力の低減を図るため、例えば以下のような公知技術が知られている。
即ち、特開平５−１７６２５８号公報（特許文献１）には、テレビ用電源装置において、フォトカプラを介して、スタンバイ時に１次側のトラジスタをオンさせ、同期発振回路の発振用コンデンサの容量を小さくして、２次側の電流を減少させている構成が開示されている。
【００２２】
又、特開平８−２２３５０８号公報（特許文献２）には、スタンバイ時の電力供給を通常動作時のスイッチングトランスとは別のトランスから電力供給する電源回路において、制御ＩＣへの電源供給回路にスタンバイ／ノーマル切り換え用のトランジスタを設け、フォトカプラからの信号でオンオフする構成が開示されている。
【００２３】
更に、特開２０００−１８４７０９号公報（特許文献３）には、スイッチング装置において、主スイッチをＰＷＭパルスでオンオフし、これに応じた電流を発光ダイオードに流し、スタンバイ時には当該発光ダイオードに強制的に電流を流す構成が開示されている。
【特許文献１】特開平５−１７６２５８号公報
【特許文献２】特開平８−２２３５０８号公報
【特許文献３】特開２０００−１８４７０９号公報
【考案の開示】
【考案が解決しようとする課題】
【００２４】
しかしながら、上記した電源回路２においては、スタンバイ時に制御ＩＣ３ｃをバーストモードに切り換えるための１次側、及び２次側の両モード切換信号回路３ｆ，４ｂ間は、専用の第２のフォトカプラ７が別途必要となっていた。このフォトカプラの設置に伴い、コストアップに繋がっていた。
【００２５】
勿論、１次側、及び２次側の両モード切換信号回路間をフォトカプラを使わずに、直接結線して信号の授受を行えれば、そうしたコストの問題は解決できる。しかし、１次側と２次側との間は絶縁状態にする必要があるため、そうした方法を採用することもできない。
【００２６】
又、前述した特許文献１〜３の何れの構成においても、こうした１次側と２次側との間を絶縁状態を保ったままで、専用のフォトカプラを追加することなく、低コストで制御ＩＣをバーストモードに適宜切り換える構成は提案されてはいない。
【００２７】
本考案は、上記問題にかんがみてなされたもので、電気電子機器のスタンバイ状態において省電力化を図るための制御ＩＣのバーストモードとノーマルモードとの切り換えを、専用のフォトカプラを追加することなく、低コストで正確に行う電源回路を有するテレビ、及び電源回路を提供することを目的とする。
【課題を解決するための手段】
【００２８】
上記問題を解決する為に請求項１に記載の考案は、１次側の入力電圧をトランスを介して所望の電圧に変換して２次側で出力する電源回路を有するテレビであって、当該電源回路は、２次側の出力電圧に基づくフィードバック信号をフィードバック端子に入力し、１次側の電圧をフィードバック制御する共に、トリガ入力端子へ入力されるトリガ電圧に基づき、テレビのスイッチオン時に供給されるノーマル電圧を供給するノーマルモードと、テレビのスイッチオフ時にスタンバイ状態の当該テレビのコントローラに待機電圧を供給するバーストモードとを適宜切り換え制御する、１次側に設けられた制御ＩＣと、前記フィードバック制御のために、２次側の出力電圧に基づくフィードバック信号を、電圧印加に伴う発光ダイオードの発光と、当該発光の受光に伴いスイッチオンするフォトトランジスタとから成るフォトカプラを介して１次側の前記制御ＩＣに絶縁状態で入力するフィードバック回路と、テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とするモード切換信号回路とを有し、前記フィードバック回路は、１次側フィードバック回路と２次側フィードバック回路とから成る一方、前記モード切換信号回路は、１次側モード切換信号回路と２次側モード切換信号回路とから成り、前記1次側フィードバック回路は、制御ＩＣの前記フィードバック端子とＧＮＤ間にフォトカプラを構成する前記フォトトランジスタを設けて成り、前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前��第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめる構成としている。
【００２９】
上記のように構成した請求項１に記載の考案によれば、テレビに搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になる。
【００３０】
又、２次側のモード切換信号回路もフィードバック回路と兼用するので、２次側の回路構成が簡素化する。
【００３１】
請求項２に記載の考案は、電気電子機器に搭載され、１次側の入力電圧をトランスを介して所望の電圧に変換して２次側で出力する電源回路であって、当該電源回路は、２次側の出力電圧に基づくフィードバック信号をフィードバック端子に入力し、１次側の電圧をフィードバック制御する共に、トリガ入力端子へ入力されるトリガ電圧に基づき、前記電気電子機器のスイッチオン時に供給されるノーマル電圧を供給するノーマルモードと、電気電子機器のスイッチオフ時にスタンバイ状態の当該電気電子機器のコントローラに待機電圧を供給するバーストモードとを適宜切り換え制御する、１次側に設けられた制御ＩＣと、前記フィードバック制御のために、２次側の出力電圧に基づくフィードバック信号を、フォトカプラを介して１次側の前記制御ＩＣに絶縁状態で入力するフィードバック回路と、電気電子機器のスイッチオンオフに伴う２次側の電圧変化に基づき、制御ＩＣの前記トリガ入力端子に対し、電気電子機器のスイッチオフ時には前記トリガ電圧を供給する一方、電気電子機器のスイッチオン時には前記トリガ電圧を非供給とするモード切換信号回路とを有し、制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめる構成としている。
【００３２】
上記のように構成した請求項２に記載の考案によれば、電気電子機器に搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になる。
【００３３】
又、２次側のモード切換信号回路もフィードバック回路と兼用するので、２次側の回路構成が簡素化する。
【００３４】
請求項３に記載の考案は、前記フォトカプラは、電圧印加に伴う発光ダイオードの発光と、当該発光の受光に伴いスイッチオンするフォトトランジスタとから成る構成としている。
【００３５】
上記のように構成した請求項３に記載の考案によれば、フィードバック回路用の、電圧印加に伴う発光ダイオードの発光と、当該発光の受光に伴いスイッチオンするフォトトランジスタとから成るフォトカプラを兼用することで、請求項２に記載の作用が得られる。
【００３６】
請求項４に記載の考案は、前記電気電子機器はテレビであり、前記モード切換信号回路は、当該テレビのスイッチオンオフに伴う２次側の電圧変化に基づき、制御ＩＣの前記トリガ入力端子に対し、テレビのスイッチオフ時には前記トリガ電圧を供給する一方、テレビのスイッチオン時には前記トリガ電圧を非供給とする構成としている。
【００３７】
上記のように構成した請求項４に記載の考案によれば、テレビに搭載される電源回路について、請求項２〜請求項３に記載の作用が得られる。
【００３８】
請求項５に記載の考案は、前記フィードバック回路は、１次側フィードバック回路と２次側フィードバック回路とから成る一方、前記モード切換信号回路は、１次側モード切換信号回路と２次側モード切換信号回路とから成り、前記1次側フィードバック回路は、制御ＩＣの前記フィードバック端子とＧＮＤ間にフォトカプラを構成する前記フォトトランジスタを設けて成り、前記１次側モード切換信号回路は、補償回路を介した前記１次側フィードバック回路とＧＮＤ間を一定電圧以上でオンする第１のスイッチング素子と、前記補償回路と当該第１のスイッチング素子間の電圧に基づき、制御ＩＣの前記トリガ入力端子とＧＮＤ間をオンオフ制御する第２のスイッチング素子とから成り、前記２次側フィードバック回路、及び前記２次側モード切換信号回路は、２次側の低電圧出力ラインからノーマルモード時に所定電圧となるように分圧調整されたノーマルモード検出ライン、及び、２次側の高電圧出力ラインからバーストモード時に所定電圧となるように分圧調整された上、ダイオードを介したバーストモード検出ラインが各々、前記高電圧出力ラインとＧＮＤ間にフォトカプラを構成する前記発光ダイオードとともに設けられる、所定電圧以上で通電するシャントレギュレータに接続され、更に前記高出力電圧ラインとＧＮＤ間に、テレビのスイッチのオンオフに応じてオンオフ制御される第３のスイッチング素子が設けられると共に、当該第３のスイッチング素子に接続される当該高電力出力ラインと、前記バーストモード検出ラインの前記ダイオード前段とが並列接続されて成り、テレビのスイッチがオフされた場合には、前記第３のスイッチング素子のオフにより、所定電圧よりも高い、前記バーストモード検出ラインからのノーマルモード時の調整電圧が前記シャントレギュレータに入力されることで、前記発光ダイオードが通電発光し、それを受光する前記フォトトランジスタのオンに伴う、前記１次側フィードバック回路の通電により、補償回路とＧＮＤ間の電位が低下して前記第１のスイッチング素子がオフする結果、補償回路と第１のスイッチング素子間の電位が上がり、それに伴う前記第２のスイッチング素子のオンにより、制御ＩＣの前記トリガ入力端子にはトリガ電圧が入力されて制御ＩＣがバーストモードとなる一方、テレビのスイッチがオンされた場合には、前記第３のスイッチング素子のオンにより、所定電圧よりも低い、前記ノーマルモード検出ラインからのバーストモード時の調整電圧が前記シャントレギュレータに入力されることで、前記発光ダイオードが通電発光せず、補償回路側の電位が上昇し、前記第１のスイッチング素子がオンする結果、補償回路と第１のスイッチング素子間の電位が０Ｖとなり、それに伴う前記第２のスイッチング素子のオフにより、制御ＩＣの前記トリガ入力端子にはトリガ電圧が入力されず制御ＩＣがノーマルモードとなることで制御ＩＣのモード切り換えを行い、制御ＩＣの前記トリガ入力端子に適宜トリガ電圧を入力するためのモード切換信号回路による２次側から１次側への信号送受信を、フィードバック回路用の前記フォトカプラと兼用することで、専用のフォトカプラを抹消せしめる構成としている。
【００３９】
上記のように構成した請求項５に記載の考案によれば、２次側フィードバック回路と兼用する２次側モード切換信号回路の第３のスイッチング素子、及びそれに応じた１次側モード切換信号回路の第１、及び第２のスイッチング素子が適宜スイッチングされることにより、請求項１に記載の作用が得られる。
【００４０】
以上に記載したテレビ、及び電源回路は、装置としてのみならず、方法としても提供し得る。
【考案の効果】
【００４１】
請求項１に記載の考案によれば、テレビに搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になるため、低コストでありながら、スタンバイ状態で低消費電力である優れたテレビを提供し得る。
【００４２】
又、２次側のモード切換信号回路もフィードバック回路と兼用するので、２次側の回路構成が簡素化するため、１次側のモード切換信号回路の追加も、コストアップには繋がらない。
【００４３】
請求項２に記載の考案によれば、電気電子機器に搭載される電源回路内の制御ＩＣの、前記トリガ入力端子に適宜トリガ電圧を入力するためのモード切換信号回路による２次側から１次側への信号送受信を、従来より設けられているフィードバック回路用のフォトカプラと兼用することで、専用のフォトカプラが不要になるため、低コストでありながら、スタンバイ状態で低消費電力である優れた電気電子機器に搭載される電源回路を提供し得る。。
【００４４】
又、２次側のモード切換信号回路もフィードバック回路と兼用するので、２次側の回路構成が簡素化するため、１次側のモード切換信号回路の追加も、コストアップには繋がらない。
【００４５】
請求項３に記載の考案によれば、フィードバック回路用の、電圧印加に伴う発光ダイオードの発光と、当該発光の受光に伴いスイッチオンするフォトトランジスタとから成るフォトカプラを兼用することで、請求項２に記載の効果が確実に得られる。
【００４６】
請求項４に記載の考案によれば、低コスト且つ低消費電力の優れたテレビを提供できる。
【００４７】
請求項５に記載の考案によれば、請求項１に記載の効果が同様に得られる。
【考案を実施するための最良の形態】
【００４８】
以下、本考案を具体化した実施例について説明する。
【実施例１】
【００４９】
本実施例では、電気電子機器として液晶テレビに適用した場合について説明する。
【００５０】
図１には、電気電子機器としての液晶テレビの構成を説明するブロック図を示す。
【００５１】
同図において、液晶テレビ１１は、本体の動作を制御するコントローラ１１ａと、図示していないアンテナで受信されるテレビ放送信号から選択されているチャンネルのテレビ放送信号を抽出し、出力するチューナ１１ｂと、該チューナ１１ｂが出力したテレビ放送信号に基く映像を液晶画面１１ｃに表示する映像処理部１１ｄと、該チューナ１１ｂが出力したテレビ放送信号に基く音声をスピーカ１１ｅから出力する音声処理部１１ｆと、リモコン１１ｇから送信されてきた操作コマンドを受信するリモコン受信部１１ｈとを備えている。
【００５２】
コントローラ１１ａは、リモコン受信部１１ｈで受信した制御コマンドに応じて、後述するスイッチ１４ａのオン／オフ、チャンネルの切換、音量のアップ／ダウン等を制御する。液晶テレビ１１の各部には、電源回路１２から動作電源が供給されている。この電源回路１２には、外部から商用電源（例えば、ＡＣ１００Ｖ）が入力される。
【００５３】
図２には、前記電源回路１２の回路図を示す。
【００５４】
同図において、電源回路１２は部分共振電源回路であり、外部の例えば商用ＡＣ電源をブリッジダイオード１３ａで全波整流した上、コンデンサ１３ｂで平滑化され入力される１次側１３と、トランス１５を介して所望の電圧に調整され、各構成回路に出力される２次側１４とから成る。
【００５５】
１次側１３には、１次側の電圧を適宜調整する制御ＩＣ１３ｃと、共振回路１３ｄと、２次側１４の電圧を制御ＩＣ１３ｃにフィードバックする１次側フィードバック回路１３ｅと、２次側１４に設けられた液晶テレビ１１の後述するスイッチ１４ａのオンオフの状態を示すトリガ電圧を制御ＩＣ１３ｃに入力する１次側モード切換信号回路１３ｆとが設けられている。
【００５６】
一方、２次側１４には、液晶テレビの電源をオンオフするスイッチ１４ａと、当該スイッチ１４ａのオンオフに応じて、前記１次側モード切換信号回路１３ｆに信号送信する２次側モード切換信号回路１４ｂと、２次側１４の出力電圧に応じて、前記１次側フィードバック回路１３ｅに信号送信する２次側フィードバック回路１４ｃと、所定の出力電圧を出力可能にトランス１５の２次側巻線１５ｂの必要巻数からの出力ライン１４ｄ,１４ｅ…と、当該出力電圧を定電圧に安定化し、所定の構成回路に供給する定電圧回路１４ｆとが設けられている。
【００５７】
前記制御ＩＣ１３ｃは、１次側フィードバック回路１３ｅを介してフィードバック信号が入力されるフィードバック端子Ａと、前記１次側モード切換信号回路１３ｆを介してトリガ電圧が入力されるトリガ入力端子としてのゼロ電流検出端子Ｂと、トランス１５の１次側メイン巻線１５ａに駆動電圧を出力するドレイン端子Ｃと、ＧＮＤ端子Ｄと、電源供給を受ける電源入力端子Ｅを有している。
【００５８】
フィードバック端子Ａに入力された当該フィードバック信号に基づき、制御ＩＣ１３ｃはＰＷＭによるフィードバック制御を行い、２次側１４の出力電圧が適正電圧となるように適宜調整し、ドレイン端子Ｃよりトランス１５の１次側メイン巻線１５ａに駆動電圧を出力する。
【００５９】
又、制御ＩＣ１３ｃは、トリガ入力端子（＝ゼロ電流検出端子）Ｂに入力された前記トリガ電圧に基づき、液晶テレビ１１のスイッチ１４ａオン時に供給されるノーマル電圧を供給するノーマルモードと、テレビ１１のスイッチ１４ａオフ時にスタンバイ状態の当該液晶テレビ１１のコントローラ１１ａに待機電圧を供給するバーストモードとを適宜切り換え制御する。即ち、所定のトリガ電圧が入力された場合には、バーストモードとしてドレイン電流を電流制限し、オン幅を前記フィードバック信号の電圧（ＶF/B）に対してリニアな制御ではなく、例えばＶF/B＞１．８Ｖで発振させ、ＶF/B＜０．８Ｖで停止といったようなヒステリシスによる間欠動作を行う。一方、トリガ電圧が０Ｖとなる場合には、ノーマルモードに切り換え、上記の間欠動作のないリニアな通常の連続動作を行う。
【００６０】
更に、制御ＩＣ１３ｃは、共振回路１３ｄを介してトランス１５のコントロール巻線１５ｃにおける電圧を前記ゼロ電流検出端子Ｂに入力することで、２次側１４のゼロ電流点を検出し、ドレイン端子Ｃからの出力をスイッチングするメインスイッチング素子のオンタイミングを決定している。
【００６１】
前記１次側フィードバック回路１３ｅは、フォトカプラ１６を構成するフォトトランジスタ１６ａを介して、制御ＩＣ１３ｃの前記フィードバック端子ＡとＧＮＤ端子Ｄ間が接続されて成り、当該フォトトランジスタ１６ａが、後述する２次側フィードバック回路１４ｃに設けられたフォトカプラ１６を構成する発光ダイオード１６ｂからの所定時の発光を受光することでオンし、前記フィードバック信号を前記フィードバック端子Ａに入力する。
【００６２】
前記１次側モード切換信号回路１３ｆは、補償回路１３ｇを介した前記１次側フィードバック回路１３ｅとＧＮＤ端子Ｄ間をオンオフ可能に、ツェナーダイオード１３ｈを介してベースにバイパス入力されるように第１のスイッチング素子としてのトランジスタ１３ｉを設けると共に、前記１次側フィードバック回路１３ｅと当該トランジスタ１３ｉ間が第２のスイッチング素子としてのトランジスタ１３ｊのベースに接続され、当該トランジスタ１３ｊで制御ＩＣ１３ｃの前記トリガ入力端子ＢとＧＮＤ端子Ｄ間をオンオフするように構成されて成る。
【００６３】
即ち、前記１次側モード切換信号回路１３ｆは、前記１次側フィードバック回路１３ｅがフォトトランジスタ１６ａによりオンされ、電圧が低下すると、ツェナーダイオード１３ｈを介してトランジスタ１３ｉがオフされる。すると、補償回路１３ｇとトランジスタ１３ｉ間の電位が上がり、それに伴ってトランジスタ１３ｊがオンされる。従って、制御ＩＣ１３ｃの前記トリガ入力端子Ｂにはトリガ電圧が入力されて制御ＩＣ１３ｃがバーストモードとなる。
【００６４】
一方、１次側モード切換信号回路１３ｆは、前記１次側フィードバック回路１３ｅがフォトトランジスタ１６ａによりオフされると、補償回路１３ｇ側の電位が上昇し、ツェナーダイオード１３ｈを介して前記トランジスタ１３ｉはオンされる。すると、前記トランジスタ１３ｊのベース電位は０Ｖとなり、当該トランジス１３ｊはオフされる。従って、制御ＩＣ１３ｃの前記トリガ入力端子Ｂにはトリガ電圧は入力されず、制御ＩＣ１３ｃはノーマルモードに切り換わる。
【００６５】
前記２次側フィードバック回路１４ｃ、及び前記２次側モード切換信号回路１４ｂは、２次側１４の例えばノーマルモード時に１２Ｖとなる低電圧出力ライン１４ｅからノーマルモード時に所定電圧としての２．５Ｖとなるように抵抗１４ｇで分圧調整されたノーマルモード検出ライン１４ｈ、及び、２次側１４の例えばノーマルモード時には４０Ｖ、バーストモード時には８Ｖとなる高電圧出力ライン１４ｄからバーストモード時に所定電圧としての２．５Ｖとなるように抵抗１４ｉで分圧調整された上、ダイオード１４ｋを介したバーストモード検出ライン１４ｊが各々、前記高電圧出力ライン１４ｄとＧＮＤ１４ｌ間にフォトカプラ１６を構成する前記発光ダイオード１６ｂとともに設けられる、所定電圧以上で通電するシャントレギュレータ１４ｍに接続され、更に前記高出力電圧ライン１４ｄとＧＮＤ１４ｎ間に、テレビのスイッチ１４ａのオンオフに応じてオンオフ制御される第３のスイッチング素子としてのトランジスタ１４ｏが設けられると共に、当該トランジスタ１４ｏに接続される当該高電力出力ライン１４ｄと、前記バーストモード検出ライン１４ｊの前記ダイオード１４ｋ前段とが並列接続されて成る。
【００６６】
即ち、前記２次側フィードバック回路１４ｃは、テレビのスイッチ１４ａがオフされている場合、前記トランジスタ１４ｏのオフにより、ＧＮＤ１４ｎと遮断された前記バーストモード検出ライン１４ｊからの調整電圧が前記シャントレギュレータ１４ｍを構成する、ツェナーダイオード１４ｐに供給される。
【００６７】
一方、テレビのスイッチ１４ａがオンされている場合には、前記トランジスタ１４ｏのオンにより、前記バーストモード検出ライン１４ｊからの調整電圧は、接続されたＧＮＤ１４ｎに落とされると共に、前記ノーマルモード検出ライン１４ｈからの調整電圧が前記シャントレギュレータ１４ｍを構成する、ツェナーダイオード１４ｐに供給される。
【００６８】
上記した前記バーストモード検出ライン１４ｊからの調整電圧、及び前記ノーマルモード検出ライン１４ｈからの調整電圧の何れの調整電圧が供給される場合も、前記ツェナーダイオード１４ｐは設定された所定電圧２．４Ｖと比較し、当該所定電圧を超える場合にはオンしてフォトカプラ１６を構成する前記発光ダイオード１６ｂを発光させる。これに伴い、前記１次側フィードバック回路１３ｅは、前記フォトトランジスタ１６ａで逐次受光し、前述したようにフィードバック信号を前記制御ＩＣ１３ｃのフィードバック端子Ａに入力し、制御する。
【００６９】
又、上記した２次側の両モード切換信号回路１４ｂは、テレビのスイッチ１４ａがオフされた場合には、前記トランジスタ１４ｏのオフにより、ＧＮＤ１４ｎと遮断された前記バーストモード検出ライン１４ｊからの調整電圧が前記シャントレギュレータ１４ｍを構成する、ツェナーダイオード１４ｐに供給される。スイッチ１４ａがオフされる時点では、制御ＩＣ１３ｃはまだノーマルモードからバーストモードに切り換わっていないため、高電圧出力ライン１４ｄの出力電圧は４０Ｖとなっている。しかし、前記バーストモード検出ライン１４ｊで２．５Ｖに分圧調整する抵抗１４ｉは、高電圧出力ライン１４ｄの出力電圧がバーストモード時の８Ｖの場合で設定されているため、前記したスイッチ１４ａがオフされる時点での当該バーストモード検出ライン１４ｊでの調整電圧は２．５Ｖよりも高くなる。従って、入力電圧が２．５Ｖ以上の場合に導通するように設定されているツェナーダイオード１４ｐはオンとなり、フォトカプラ１６を構成する前記発光ダイオード１６ｂが発光する。
【００７０】
１次側フィードバック回路１３ｅの前記フォトトランジスタ１６ａは、受光に伴いオンされ、前記１次側フィードバック回路１３ｅに通電される。その結果、１次側モード切換信号回路１３ｆにおいて、
補償回路１３ｇとＧＮＤ端子Ｄ間の電位が低下して前記トランジスタ１３ｉがオフする結果、補償回路１３ｇとトランジスタ１３ｉ間の電位が上がり、それに伴い前記トランジスタ１３ｊがオンされ、制御ＩＣ１３ｃの前記トリガ入力端子Ｂにはトリガ電圧が入力されて、制御ＩＣ１３ｃがバーストモードに切り換わる。
【００７１】
一方、２次側の両モード切換信号回路１４ｂは、テレビのスイッチ１４ａがオンされた場合には、前記トランジスタ１４ｏのオンにより、前記バーストモード検出ライン１４ｊからの調整電圧は、接続されたＧＮＤ１４ｎに落とされると共に、前記ノーマルモード検出ライン１４ｈからの調整電圧が前記シャントレギュレータ１４ｍを構成する、ツェナーダイオード１４ｐに供給される。このノーマルモード検出ライン１４ｈからの調整電圧は、ダイオード１４ｋの存在により、オンされた前記トランジスタ１４ｏ側のＧＮＤ１４ｎに落とされることはない。
【００７２】
スイッチ１４ａがオンされた時点では、制御ＩＣ１３ｃはまだバーストモードからノーマルモードに切り換わっていないため、低電圧出力ライン１４ｅの出力電圧はノーマルモード時の１２Ｖにはなっていない。しかし、前記ノーマルモード検出ライン１４ｈで２．５Ｖに分圧調整する抵抗１４ｉは、低電圧出力ライン１４ｅの出力電圧がノーマルモード時の１２Ｖの場合で設定されているため、前記したスイッチ１４ａがオンされる時点での当該ノーマルモード検出ライン１４ｈでの調整電圧は２．５Ｖよりも低くなる。従って、入力電圧が２．５Ｖ以上の場合に導通するように設定されているツェナーダイオード１４ｐはオフとなり、フォトカプラ１６を構成する前記発光ダイオード１６ｂは発光しない。
【００７３】
１次側フィードバック回路１３ｅの前記フォトトランジスタ１６ａは、受光しないためオフされ、前記１次側フィードバック回路１３ｅは遮断される。その結果、１次側モード切換信号回路１３ｆにおいて、補償回路１３ｇとＧＮＤ端子Ｄ間の電位が上昇して前記トランジスタ１３ｉがオンする結果、補償回路１３ｇとトランジスタ１３ｉ間の電位が下がり、それに伴い前記トランジスタ１３ｊがオフされ、制御ＩＣ１３ｃの前記トリガ入力端子Ｂにはトリガ電圧が入力されず、制御ＩＣ１３ｃがノーマルモードに切り換わる。
【００７４】
即ち、１次側、及び２次側の両モード切換信号回路１３ｆ，１４ｂは、１次側、及び２次側の両フィードバック回路１３ｅ，１４ｃが元来備えているフォトカプラ１６を兼用することで、モード切り換え機能を作動し得る。
【００７５】
更に、２次側モード切換信号回路１４ｂは２次側フィードバック回路１４ｃと兼用するため回路構成が簡略化され、１次側モード切換信号回路１３ｆの回路追加分を相殺し得る。
【００７６】
以上に説明したように、本実施例における液晶テレビに設けられた電源回路によれば、電源スイッチのオンオフに応じてノーマルモードとバーストモードとを適宜切り換えるためのモード切換信号回路における２次側から１次側への信号の送受信に、従来より既存のフィードバック回路用のフォトカプラを兼用して行うようにしたので、専用のフォトカプラを別途設ける必要がなくなり、低コストでありながら、従来同様、正確にモードの切り換えを行い得る低消費電力の電気電子機器を提供できる。。
【００７７】
尚、本願考案は本実施例の構成に限定されるものではなく、以下に列記する構成について、適宜変更可能である。
【００７８】
１．本実施例では、電源回路を液晶テレビに搭載する場合について説明したが、電源回路を搭載する電気電子機器は、液晶テレビに限定されることはなく、ＣＲＴテレビ、ＰＤＰテレビ等の他のテレビ、更には各種家電製品等、スタンバイ状態での省電力化を図る必要のある各種電気電子機器に広く適用可能である。
【００７９】
２．本実施例の電源回路の設定電圧等の具体的な各種パラメータは、電気電子機器の要求される使用に応じて、適宜変更し得る。
【００８０】
３．本実施例で説明した電源回路に搭載する制御ＩＣは、新電元工業社製のスタンバイ対応部分共振電源用ＩＣ「ＭＲシリーズ」を前提に説明したが、制御ＩＣのこの機種はあくまで一例に過ぎず、スタンバイとノーマルとの切り換え機能を有する他の機種の制御ＩＣに適用することも可能である。
【００８１】
但し、その場合、制御ＩＣの要求される各仕様に合わせて、各種パラメータは適宜変更される。
【００８２】
４．各実施例における、電源回路の具体的な回路構成は一例に過ぎず、同様な機能を有する回路に適宜変更可能である。要は、フィードバック回路が元来保有するフォトカプラをモード切換信号回路用として兼用できる構成であれば良い。
【００８３】
５．各スイッチング素子は、ＦＥＴ、スイッチングトランジスタ、ＩＧＢＴ等の各種スイッチング素子が適用可能である。
【００８４】
６．以上に述べた電源回路、或いは当該電源回路を搭載した電気電子機器であるテレビとしての構成のみならず、同様の構成により、電源回路における、当該電気電子機器のスイッチオンオフに伴う電源電圧供給モード切り換え方法として提供し得るのは言うまでもない。
【産業上の利用可能性】
【００８５】
電気電子機器のスタンバイ状態において省電力化を図るための制御ＩＣのバーストモードとノーマルモードとの切り換えを、専用のフォトカプラを追加することなく、低コストで正確に行う電源回路を有するテレビ、及び電源回路を提供する
【図面の簡単な説明】
【００８６】
【図１】本考案の実施例１を説明するブロック図である。
【図２】本考案の実施例１を説明する回路図である。
【図３】従来技術を説明する回路図である。
【符号の説明】
【００８７】
１３ｃ…制御ＩＣ
１３ｅ…１次側フィードバック回路
１３ｆ…１次側モード切換信号回路
１３ｇ…補償回路
１３ｈ…ツェナーダイオード
１３ｉ…第１のスイッチング素子としてのトランジスタ
１３ｊ…第２のスイッチング素子としてのトランジスタ
１４ｂ…２次側モード切換信号回路
１４ｃ…２次側フィードバック回路
１４ｄ…高電圧出力ライン
１４ｅ…低電圧出力ライン
１４ｈ…ノーマルモード検出ライン
１４ｊ…バーストモード検出ライン
１４ｋ…ダイオード
１４ｌ…ＧＮＤ
１４ｍ…シャントレギュレータ
１４ｎ…ＧＮＤ
１４ｏ…第３のスイッチング素子としてのトランジスタ
１４ｐ…ツェナーダイオード  
１５…トランス
１６…フォトカプラ
１６ａ…フォトトランジスタ
１６ｂ…発光ダイオード
Ａ…フィードバック端子
Ｂ…トリガ入力端子（＝ゼロ電流検出端子）
Ｃ…ドレイン端子
Ｄ…ＧＮＤ端子